Podtech/llm-jp-corpus-v4-ja_patent huggingface dataset:
【手続補正書】
【提出日】平成21年8月25日(2009.8.25)
【手続補正１】
【補正対象書類名】明細書
【補正対象項目名】０００２
【補正方法】変更
【補正の内容】
【０００２】
現今、野球バットまたはソフトボールバットなどのバッティング用道具は、木材またはアルミ合金またかプラスチック複合材料のいずれか一つから形成されるものである。
【特許文献１】米国特許第５，２１９，１６４号明細書
【特許文献２】米国特許第１，６６５，１９５号明細書
【手続補正２】
【補正対象書類名】特許請求の範囲
【補正対象項目名】全文
【補正方法】変更
【補正の内容】
【特許請求の範囲】
【請求項１】
バッティングまたはそれと同類のバットであって、
プラスチックまたは木材により形成され、前端と後端とを有し、その胴部の外径が前端から後端へ増大していくグリップと、
繊維補強プラスチックまたは金属により形成され、かつグリップの中に埋まる芯パイプと、
金属または繊維補強プラスチックにより形成され、前端と後端を有する打球面と、
所定の重量と弾性を有するように適当な材質により形成され、かつグリップの後端と打球面の前端の間に装着され、両者を連接することでバット全体を構成する少なくとも一つの継ぎ手とを備え、
前記継ぎ手は、木材により形成されることを特徴とするバット。
【請求項２】
継ぎ手の一部分は、打球面の前端内側に入り込むことを特徴とする請求項１に記載のバット。
【請求項３】
芯パイプの一端は、継ぎ手を貫通することを特徴とする請求項１に記載のバット。
【請求項４】
芯パイプ内に装着されるバランスウェイトを少なくとも一つ有することを特徴とする請求項１に記載のバット。
【請求項５】
芯パイプに装着される振動吸収ブロックを少なくとも一つ有することを特徴とする請求項１に記載のバット。
【請求項６】
バッティングまたはそれと同類のバットであって、
プラスチックまたは木材により形成され、前端と後端を有し、その胴部の外径が前端から後端へ増大していくグリップと、
繊維補強プラスチックまたは金属により形成され、かつグリップの中に埋まり、その一端をグリップの後端から所定の長さまで突出することで露出部位が形成される芯パイプと、
所定の重量と弾性を有するように適当な材質により形成され、かつ芯パイプの露出部位に装着される第一継ぎ手と、
金属または繊維補強プラスチックにより形成され、前端と後端を有し、継ぎ手をその前端内側に嵌め込む方法でグリップと連接しバット全体を構成する打球面とを備え、
前記第一継ぎ手は、木材により形成されることを特徴とするバット。
【請求項７】
継ぎ手と打球面とは、両者の接触面にそれぞれ相互補助部位を有することで両者の接合強度を増加させることを特徴とする請求項６に記載のバット。
【請求項８】
所定の重量と弾性を有するように適当な材質により形成され、そして第一継ぎ手の後ろ且つグリップと打球面の間に位置するように芯パイプの露出部位に装着される第二継ぎ手を有することを特徴とする請求項６に記載のバット。
【請求項９】
第二継ぎ手は、木材により形成されることを特徴とする請求項８に記載のバット。
【請求項１０】
第二継ぎ手は、プラスチック製の環状体であることを特徴とする請求項８に記載のバット。
【請求項１１】
芯パイプ内に装着されるバランスウェイトを少なくとも一つ有することを特徴とする請求項６に記載のバット。
【請求項１２】
芯パイプに装着される振動吸収ブロックを少なくとも一つ有することを特徴とする請求項６に記載のバット。
【請求項１３】
バッティングまたはそれと同類のバットであって、
プラスチックまたは木材により形成され、前端と後端を有し、その胴部の外径が前端から後端へ増大していくグリップと、
繊維補強プラスチックまたは金属により形成され、かつグリップの中に埋まり、その一端をグリップの後端から所定の長さまで突出することで露出部位が形成する芯パイプと、
所定の重量と弾性を有するように適当な材質から形成され、芯パイプの露出部位に装着され、かつ嵌合部と露出部を有する第一継ぎ手と、
金属または繊維補強プラスチックから形成され、前端と後端を有する打球面であって、継ぎ手の嵌合部をその前端内側、継ぎ手の露出部をグリップと打球面の間に嵌め込み、連接する方法でバット全体を構成する打球面とを備え、
前記第一継ぎ手は、木材により形成されることを特徴とするバット。
【請求項１４】
継ぎ手の嵌合部と打球面とは、両者の接触面にそれぞれ相互補助部位を有することで両者の接合強度を増加させることを特徴とする請求項１３に記載のバット。
【請求項１５】
継ぎ手の嵌合部と露出部との間には、環状肩面を有することで、嵌合部が打球面に嵌まった後、肩面と打球面の前端面を接合可能であることを特徴とする請求項１３に記載のバット。
【請求項１６】
肩面と打球面の前端面との間に挟まる弾性クッションを有することを特徴とする請求項１５に記載のバット。
【請求項１７】
所定の重量と弾性を有するように適当な材質により形成され、そしてグリップと打球面との間に位置するように芯パイプの露出部位に装着される第二継ぎ手を有することを特徴とする請求項１３に記載のバット。
【請求項１８】
第一継ぎ手の露出部は、第二継ぎ手の一端の内側に嵌まることを特徴とする請求項１７に記載のバット。
【請求項１９】
第二継ぎ手は、木材により形成されることを特徴とする請求項１７に記載のバット。
【請求項２０】
第二継ぎ手は、プラスチック製の環状体であることを特徴とする請求項１７に記載のバット。
【請求項２１】
芯パイプ内に装着されるバランスウェイトを少なくとも一つ有することを特徴とする請求項１３に記載のバット。
【請求項２２】
芯パイプに装着される振動吸収ブロックを少なくとも一つ有することを特徴とする請求項１３に記載のバット。
【手続補正書】
【提出日】平成21年7月17日(2009.7.17)
【手続補正１】
【補正対象書類名】特許請求の範囲
【補正対象項目名】全文
【補正方法】変更
【補正の内容】
【特許請求の範囲】
【請求項１】
遊技を統括すると共に入賞に伴った個数の遊技球の払出指示信号を送信する主制御手段と、貸出の制御を行うと共に貸出要求に伴った個数の遊技球の払出指示信号を送信する貸出制御手段と、主制御手段及び貸出制御手段の少なくとも一方からの遊技球の払出指示信号に基づいた個数の遊技球の払い出しを統括的に制御する払出制御手段とを備えた遊技機であって、
遊技球を貯留する貯留手段と、
前記貯留手段に連通する複数の払出通路と、
前記複数の払出通路に導入された遊技球を払出通路別に検出する複数の遊技球検出手段と、
前記遊技球検出手段よりも上方に設けられ払出通路に遊技球が流入することを払出通路別に許容又は禁止する複数の通過規制手段と、
前記複数の通過規制手段を個別に駆動する複数の駆動手段と
を備え、
前記払出制御手段は、
前記払出指示信号に応じた払出個数を前記複数の払出通路にほぼ均等に振り分ける振分手段と、
前記遊技球検出手段からの検出信号に基づいて遊技球の個数を払出通路別に計数する計数手段と、
前記振分手段により振り分けられた払出通路別の個別払出個数を保持する払出個数保持手段と、
前記計数手段により計数された個数と、前記払出個数保持手段に保持されている前記個別払出個数とに基づいて最終の遊技球であるか否かを払出通路別に判定する判定手段と、
前記判定手段により前記最終の遊技球であると判定された遊技球が通過している前記払出通路に対応する前記駆動手段を制御して前記通過規制手段を前記通過許容状態から前記通過禁止状態に移行させる駆動制御手段と、
前記駆動制御手段による前記通過規制手段の前記通過許容状態から前記通過禁止状態への移行の制御からの所定の不監視時間を前記払出通路別に計測する不監視時間計測手段と、
前記遊技球払出指示の検知に応じて開始されて前記複数の払出通路の各々に対応する前記遊技球検出手段からの前記検出信号に基づく前記払出個数の遊技球の計数後に終了する払出期間中と異なり、かつ前記不監視時間計測手段の作動している不監視期間と異なる期間において、前記複数の払出通路の少なくとも１つに対応する前記遊技球検出手段から前記検出信号が入力された場合に所定のエラー制御を行うエラー制御手段と、
を備えたことを特徴とする遊技機。
【手続補正書】
【提出日】平成21年3月23日(2009.3.23)
【手続補正１】
【補正対象書類名】特許請求の範囲
【補正対象項目名】全文
【補正方法】変更
【補正の内容】
【特許請求の範囲】
【請求項１】
複数のコントローラと、
前記複数のコントローラからの指示入力を受け付けて対戦ゲームを実行する制御部と、
いずれかのコントローラから所定の操作入力を受け付けると、前記操作入力を受け付けた第１のコントローラにより操作される操作対象の味方の操作対象を操作する第２のコントローラに制御信号を発して前記第２のコントローラを振動又は発光させるコントローラ制御部と、
を備えることを特徴とするゲーム装置。
【請求項２】
前記コントローラ制御部は、前記操作入力を受け付けた前記第１のコントローラに制御信号を発して前記第１のコントローラを振動又は発光させることを特徴とする請求項１に記載のゲーム装置。
【請求項３】
前記コントローラ制御部は、前記制御部が前記複数のコントローラにより操作される複数の操作対象を表示しているときに前記操作入力を受け付けると、前記第２のコントローラにより操作される操作対象を、前記第１のコントローラ及び前記第２のコントローラ以外のコントローラにより操作される操作対象とは異なる表示形式で表示させることを特徴とする請求項１又は２に記載のゲーム装置。
【請求項４】
前記コントローラ制御部は、前記制御部が前記複数のコントローラにより操作される複数の操作対象を表示しているときに前記操作入力を受け付けると、前記第１のコントローラにより操作される操作対象を、前記第１のコントローラ及び前記第２のコントローラ以外のコントローラにより操作される操作対象とは異なる表示形式で表示させることを特徴とする請求項１から３のいずれかに記載のゲーム装置。
【請求項５】
複数のコントローラからの指示入力を受け付けて対戦ゲームを実行するステップと、
いずれかのコントローラから所定の操作入力を受け付けると、前記操作入力を受け付けた第１のコントローラにより操作される操作対象の味方の操作対象を操作する第２のコントローラに制御信号を発して前記第２のコントローラを振動又は発光させるステップと、
を含むことを特徴とするゲーム制御方法。
【請求項６】
前記操作入力を受け付けた前記第１のコントローラに制御信号を発して前記第１のコントローラを振動又は発光させるステップを更に含むことを特徴とする請求項５に記載のゲーム制御方法。
【請求項７】
前記複数のコントローラにより操作される複数の操作対象を表示しているときに前記操作入力を受け付けると、前記第２のコントローラにより操作される操作対象を、前記第１のコントローラ及び前記第２のコントローラ以外のコントローラにより操作される操作対象とは異なる表示形式で表示させるステップを更に含むことを特徴とする請求項５又は６に記載のゲーム制御方法。
【請求項８】
前記複数のコントローラにより操作される複数の操作対象を表示しているときに前記操作入力を受け付けると、前記第１のコントローラにより操作される操作対象を、前記第１のコントローラ及び前記第２のコントローラ以外のコントローラにより操作される操作対象とは異なる表示形式で表示させるステップを更に含むことを特徴とする請求項５から７のいずれかに記載のゲーム制御方法。
【請求項９】
複数のコントローラからの指示入力を受け付けて対戦ゲームを制御するプログラムであって、
いずれかのコントローラから所定の操作入力を受け付けると、前記操作入力を受け付けた第１のコントローラにより操作される操作対象の味方の操作対象を操作する第２のコントローラに制御信号を発して前記第２のコントローラを振動又は発光させる機能を、コンピュータに実現させることを特徴とするゲーム制御プログラム。
【請求項１０】
前記操作入力を受け付けた前記第１のコントローラに制御信号を発して前記第１のコントローラを振動又は発光させる機能を更にコンピュータに実現させることを特徴とする請求項９に記載のゲーム制御プログラム。
【請求項１１】
前記複数のコントローラにより操作される複数の操作対象を表示しているときに前記操作入力を受け付けると、前記第２のコントローラにより操作される操作対象を、前記第１のコントローラ及び前記第２のコントローラ以外のコントローラにより操作される操作対象とは異なる表示形式で表示させる機能を更にコンピュータに実現させることを特徴とする請求項９又は１０に記載のゲーム制御プログラム。
【請求項１２】
前記複数のコントローラにより操作される複数の操作対象を表示しているときに前記操作入力を受け付けると、前記第１のコントローラにより操作される操作対象を、前記第１のコントローラ及び前記第２のコントローラ以外のコントローラにより操作される操作対象とは異なる表示形式で表示させる機能を更にコンピュータに実現させることを特徴とする請求項９から１１のいずれかに記載のゲーム制御プログラム。
【請求項１３】
請求項９から１２のいずれかに記載のゲーム制御プログラムを格納したコンピュータ読み取り可能な記録媒体。
【手続補正書】
【提出日】平成21年7月15日(2009.7.15)
【手続補正１】
【補正対象書類名】特許請求の範囲
【補正対象項目名】全文
【補正方法】変更
【補正の内容】
【特許請求の範囲】
【請求項１】
パチンコ島設備からの電源電圧が供給される電源基板と、遊技球の入球を検出する検出スイッチからの検出信号に基づいて遊技の進行を制御するマイクロプロセッサを備えた主制御基板と、を備えたパチンコ機であって、
前記電源基板には、
前記パチンコ島設備からの電源電圧から前記検出スイッチに供給する検出スイッチ供給電圧を作成する検出スイッチ供給電圧作成回路と、
該検出スイッチ供給電圧作成回路が作成した前記検出スイッチ供給電圧から前記主制御基板に供給する制御基板供給電圧を作成する制御基板供給電圧作成回路と、
を備え、
前記主制御基板には、
前記検出スイッチ供給電圧作成回路が作成した前記検出スイッチ供給電圧の低下と、前記制御基板供給電圧作成回路が作成した前記制御基板供給電圧の低下と、を監視し、前記検出スイッチ供給電圧と前記制御基板供給電圧のいずれか一方の電圧が予め定めた電圧より小さくなると、停電予告として停電予告信号を前記マイクロプロセッサに出力する停電監視回路
を備え、
前記マイクロプロセッサは、
前記停電予告信号が入力された際に、当該マイクロプロセッサの内蔵ＲＡＭに記憶されている情報を数値とみなしてその合計を算出する停電予告時サム値算出制御手段と、
該停電予告時サム値算出制御手段が算出した値を前記内蔵ＲＡＭに記憶する停電予告時サム値記憶制御手段と、
該停電予告時サム値記憶制御手段による記憶のあと、当該マイクロプロセッサにリセットをかける停電予告時リセット制御手段と、
該停電予告時リセット制御手段によるリセット後に前記内蔵ＲＡＭに記憶されている情報を数値とみなしてその合計を算出するリセット後サム値算出制御手段と、
該リセット後サム値算出制御手段が算出した値と、前記停電予告時サム値記憶制御手段が記憶した値と、が一致しているか否かを判定するサム値判定制御手段と、
前記内蔵ＲＡＭに記憶されている情報を消去する情報消去制御手段と、
当該マイクロプロセッサの内蔵ＲＯＭから初期情報を読み出す初期情報読出制御手段と、
該初期情報読出制御手段が読み出した前記初期情報を前記内蔵ＲＡＭに記憶する初期情報記憶制御手段と、
前記サム値判定制御手段により、前記リセット後サム値算出制御手段が算出した値と、前記停電予告時サム値記憶制御手段が記憶した値と、が一致していると判定されたときには、前記内蔵ＲＡＭに記憶されている情報に基づいて復帰する第１の復帰制御手段と、
前記サム値判定制御手段により、前記リセット後サム値算出制御手段が算出した値と、前記停電予告時サム値記憶制御手段が記憶した値と、が一致していないと判定されたときには、前記情報消去制御手段により前記内蔵ＲＡＭに記憶されている情報を消去したあと、前記初期情報読出制御手段により前記内蔵ＲＯＭから読み出された前記初期情報を前記初期情報記憶制御手段により前記内蔵ＲＡＭに記憶し、その記憶された当該初期情報に基づいて復帰する第２の復帰制御手段と、
を備えることを特徴とするパチンコ機。
【請求項２】
請求項１に記載のパチンコ機であって、
ベース部材と、該ベース部材に組み合わされるカバー部材と、の間に前記主制御基板が収容される基板ボックス
を備え、
前記基板ボックスは、封印ねじを用いて前記ベース部材と前記カバー部材とを相互に締結することで封印され、前記基板ボックスを開封する開封部に切除部が設けられ、該開封部を切断する際に、該切除部が切除されることを特徴とするパチンコ機。
【手続補正２】
【補正対象書類名】明細書
【補正対象項目名】００２１
【補正方法】変更
【補正の内容】
【００２１】
本発明の請求項１においては、瞬停による不正行為に影響されない。本発明の請求項２においては、切除部を目視することによって基板ボックスの開封有無を容易に確認にすることができ、また主制御基板の改変有無の確認に役立つ。
【手続補正書】
【提出日】平成20年12月24日(2008.12.24)
【手続補正１】
【補正対象書類名】特許請求の範囲
【補正対象項目名】請求項３
【補正方法】変更
【補正の内容】
【請求項３】
前記中間体が、デカヒドロ-2-ヒドロキシ-2,5,5,8a-テトラメチルナフタレンエタノール又はスクラレオリド（デカヒドロ-3a,6,6,9a-テトラメチルナフト[2,1-b]フラン-2（1H）-オン；（Sclareolide））である、請求項２記載のドデカヒドロ-3a,6,6,9a-テトラメチルナフト[2,1-b]フラン原料の製造方法。
【手続補正２】
【補正対象書類名】特許請求の範囲
【補正対象項目名】請求項７
【補正方法】変更
【補正の内容】
【請求項７】
前記2種類以上のドデカヒドロ-3a,6,6,9a-テトラメチルナフト[2,1-b]フラン原料がデカヒドロ-2-ヒドロキシ-2,5,5,8a-テトラメチルナフタレンエタノール及びスクラレオリド（デカヒドロ-3a,6,6,9a-テトラメチルナフト[2,1-b]フラン-2（1H）-オン；（Sclareolide））である請求項６記載のドデカヒドロ-3a,6,6,9a-テトラメチルナフト[2,1-b]フラン原料の製造方法。
【手続補正３】
【補正対象書類名】特許請求の範囲
【補正対象項目名】請求項９
【補正方法】変更
【補正の内容】
【請求項９】
前記2種類以上のドデカヒドロ-3a,6,6,9a-テトラメチルナフト[2,1-b]フラン原料がデカヒドロ-2-ヒドロキシ-2,5,5,8a-テトラメチルナフタレンエタノール及びスクラレオリド（デカヒドロ-3a,6,6,9a-テトラメチルナフト[2,1-b]フラン-2（1H）-オン；（Sclareolide））である請求項８記載のドデカヒドロ-3a,6,6,9a-テトラメチルナフト[2,1-b]フラン原料の製造方法。
【手続補正４】
【補正対象書類名】明細書
【補正対象項目名】０００２
【補正方法】変更
【補正の内容】
【０００２】
ドデカヒドロ-3a,6,6,9a-テトラメチルナフト[2,1-b]フラン（ヒドロアンブロキサン（商標）と呼ばれる場合もある）は残香性の高い香料であり、主にクラリーセージ（Salvia sclarea）から抽出されたスクラレオール（Sclareol）から化学変換によって製造されている。スクラレオールからドデカヒドロ-3a,6,6,9a-テトラメチルナフト[2,1-b]フランを生産する工程を図８に示す。図８に示すように、ドデカヒドロ-3a,6,6,9a-テトラメチルナフト[2,1-b]フラン中間体としては、デカヒドロ-2-ヒドロキシ-2,5,5,8a-テトラメチルナフタレンエタノール及びスクラレオリド（デカヒドロ-3a,6,6,9a-テトラメチルナフト[2,1-b]フラン-2（1H）-オン；（Sclareolide））が知られている。
【手続補正５】
【補正対象書類名】明細書
【補正対象項目名】００１１
【補正方法】変更
【補正の内容】
【００１１】
ここで、前記ドデカヒドロ-3a,6,6,9a-テトラメチルナフト[2,1-b]フラン原料は、ドデカヒドロ-3a,6,6,9a-テトラメチルナフト[2,1-b]フラン合成過程における中間体を意味している。当該中間体としては、デカヒドロ-2-ヒドロキシ-2,5,5,8a-テトラメチルナフタレンエタノール及びスクラレオリド（デカヒドロ-3a,6,6,9a-テトラメチルナフト[2,1-b]フラン-2（1H）-オン）を挙げることができる。
【手続補正６】
【補正対象書類名】明細書
【補正対象項目名】００１８
【補正方法】変更
【補正の内容】
【００１８】
ここで、ドデカヒドロ-3a,6,6,9a-テトラメチルナフト[2,1-b]フラン中間体とは、デカヒドロ-2-ヒドロキシ-2,5,5,8a-テトラメチルナフタレンエタノール及びスクラレオリド（デカヒドロ-3a,6,6,9a-テトラメチルナフト[2,1-b]フラン-2（1H）-オン）を意味する。
【手続補正書】
【提出日】平成21年7月25日(2009.7.25)
【手続補正１】
【補正対象書類名】特許請求の範囲
【補正対象項目名】全文
【補正方法】変更
【補正の内容】
【特許請求の範囲】
【請求項１】
自動車、精密機械、電気部品、食品等の製造工場で発生するダスト、粉塵、塗料ミスト等を捕捉する為のダスト等吸着用フィルターにおいて、前記ダスト等吸着用フィルターは、複数の空隙部が不規則に形成された平板状の不織布からなるフィルター状基材の少なくとも片面に粘着層が形成されてあることを特徴とするダスト等吸着用フィルター。
【請求項２】
請求項１記載の構成よりなるダスト等吸着用フィルターにおいて、前記ダスト等吸着用フィルターは、少なくとも粘着層が形成されてある面に、剥離層を有するシート状体が貼着されてあることを特徴とするダスト等吸着用フィルター。
【請求項３】
請求項１又は２記載の構成よりなるダスト等吸着用フィルターにおいて、前記ダスト等吸着用フィルターは、ロール状に形成されてあることを特徴とするダスト等吸着用フィルター。
【請求項４】
請求項１から３のいずれか１項に記載の構成よりなるダスト等吸着用フィルターにおいて、前記フィルター状基材を構成する繊維は、少なくとも一つの稜を有すると共に、異形断面にて形成されてあることを特徴とするダスト等吸着用フィルター。
【請求項５】
請求項１から４のいずれか１項に記載の構成よりなるダスト等吸着用フィルターにおいて、前記フィルター状基材を構成する繊維の少なくとも一部の外面は、マンセル明度７．５以上の明度を有することを特徴とするダスト等吸着用フィルター。
【手続補正２】
【補正対象書類名】明細書
【補正対象項目名】００１０
【補正方法】変更
【補正の内容】
【００１０】
前記従来の課題を解決する為に、本発明のダスト等吸着用フィルターは、自動車、精密機械、電気部品、食品等の製造工場で発生するダスト、粉塵、塗料ミスト等を捕捉する為のダスト等吸着用フィルターにおいて、前記ダスト等吸着用フィルターは、複数の空隙部が不規則に形成された平板状の不織布からなるフィルター状基材の少なくとも片面に粘着層が形成されてあるもので、フィルター状基材は不織布にて形成されてある為、通気口となる空隙部を不規則に形成することが可能であり、前記工場内における空気の流れを遮断することなく、ダスト等の浮遊を阻害せず、さまざまな形態のダスト等に対応して、効率よく確実にダスト等を粘着層にて捕捉することが可能である。
【手続補正３】
【補正対象書類名】明細書
【補正対象項目名】００１２
【補正方法】変更
【補正の内容】
【００１２】
本発明のダスト等吸着用フィルターは、複数の空隙部が不規則に形成された平板状の不織布からなるフィルター状基材の少なくとも片面に粘着層が形成されているので、フィルター状基材の空隙部を不規則に形成することが可能であり、自動車、精密機械、電気部品、食品等の製造工場内における空気の流れを遮断することなく、ダスト等の浮遊を阻害せず、さまざまな形態のダスト等に対応して、効率よく確実にダスト等を粘着層にて捕捉することができる。
【手続補正４】
【補正対象書類名】明細書
【補正対象項目名】００１４
【補正方法】変更
【補正の内容】
【００１４】
第１の発明は、自動車、精密機械、電気部品、食品等の製造工場で発生するダスト、粉塵、塗料ミスト等を捕捉する為のダスト等吸着用フィルターにおいて、前記ダスト等吸着用フィルターは、複数の空隙部が不規則に形成された平板状の不織布からなるフィルター状基材の少なくとも片面に粘着層が形成されてあるもので、フィルター状基材は不織布にて形成されてある為、通気口となる空隙部を不規則に形成することが可能であり、前記工場内における空気の流れを遮断することなく、ダスト等の浮遊を阻害せず、さまざまな形態のダスト等に対応して、効率よく確実にダスト等を粘着層にて捕捉することができる。
【手続補正５】
【補正対象書類名】明細書
【補正対象項目名】００１７
【補正方法】変更
【補正の内容】
【００１７】
第３の発明は、特に、第１又は第２の発明のダスト等吸着用フィルターにおいて、前記ダスト等吸着用フィルターは、ロール状に形成されてあるもので、長尺に形成されたダスト等吸着用フィルターをロール状にして保管できる。また、ダスト等吸着用フィルターが前記工場内で使用される際、必要な長さ、幅等に切断して用いることができる。
【手続補正６】
【補正対象書類名】明細書
【補正対象項目名】００１８
【補正方法】変更
【補正の内容】
【００１８】
第４の発明は、特に、第１から第３のいずれかの発明のダスト等吸着用フィルターにおいて、前記フィルター状基材を構成する繊維は、少なくとも一つの稜を有すると共に、異形断面にて形成されてあるもので、ダスト等が吸着する粘着層が形成された繊維の表面積が、略同一外径の概丸形断面の繊維よりも増加する為、ダスト等の捕捉性能が大幅に向上する。
【手続補正７】
【補正対象書類名】明細書
【補正対象項目名】００１９
【補正方法】変更
【補正の内容】
【００１９】
第５の発明は、特に、第１から第４のいずれかの発明のダスト等吸着用フィルターにおいて、前記フィルター状基材を構成する繊維の少なくとも一部の外面は、マンセル明度７．５以上の明度を有するもので、繊維の一部の外面は白色等の淡色にて形成されている。その為、ダスト等の吸着を視覚で捉えることができ、ダスト等吸着用フィルターの取り替え時期を、容易に判断することができる。なお、明度とは色の度合いのことであり、マンセル明度とは、最も明度の高い白色を９．５とし、最も明度の低い黒色を１．５として、０．５段階にて１７分割した明度の指標のことである。また、マンセル明度７．５は、略白色である。
【手続補正書】
【提出日】平成21年7月21日(2009.7.21)
【手続補正１】
【補正対象書類名】特許請求の範囲
【補正対象項目名】全文
【補正方法】変更
【補正の内容】
【特許請求の範囲】
【請求項１】
被検体の臓器領域を含む複数枚の断層像を取得する画像取得手段と、
前記画像取得手段によって取得された複数枚の断層像から臓器領域を抽出する臓器抽出手段と、
前記抽出された臓器領域を複数の分割面に分割するための基準となる分割軸を設定する分割軸設定手段と、
前記分割軸を通る複数の分割面上に前記抽出された臓器領域の第１の断面像を作成する断面像作成手段と、
前記断面像作成手段で作成された第１の断面像を重力の影響を受けた第２の断面像に変形させる断面像変形手段と、
前記断面像変形手段によって変形させられた複数の第２の断面像に基づいて所望の表示画像を作成する表示画像作成手段と、
前記表示画像作成手段によって作成された表示画像を表示する表示手段と、
を備えたことを特徴とする医療画像装置。
【請求項２】
前記断面像変形手段は、重力による曲げ、ズレ、膨らみのうちの少なくとも１つの変形形態で前記第１の断面像を変形させて前記第２の断面像を作成することを特徴とする請求項１に記載の医療画像装置。
【請求項３】
前記表示画像生成手段は、前記複数の第２の断面像から作成した複数の平行な断面像を用いて、又は前記複数の第２の断面像を用いて直接３次元画像を作成し、この３次元画像を表示画像とすることを特徴とする請求項１又は２に記載の医療画像装置。
【請求項４】
前記重力による曲げは、ＣＴ値によって異なる所定の変形係数に基づいて計算された変形角度で前記臓器領域内の線を回転させる変形形態であることを特徴とする請求項２に記載の医療画像装置。
【請求項５】
前記重力によるズレは、ＣＴ値によって異なる所定の変形係数に基づいて計算された変位で前記臓器領域内の点を重量方向にずり落ちるように移動させる変形形態であることを特徴とする請求項２に記載の医療画像装置。
【請求項６】
前記重力による膨らみは、ＣＴ値によって異なる所定の変形係数に基づいて計算された変位で、かつ前記臓器領域の面積が等しくなるように前記臓器領域を横方向に変形させる変形形態であることを特徴とする請求項２に記載の医療画像装置。
【手続補正２】
【補正対象書類名】明細書
【補正対象項目名】０００８
【補正方法】変更
【補正の内容】
【０００８】
前記課題を解決するために、本発明の医療画像装置は、被検体の臓器領域を含む複数枚の断層像を取得する画像取得手段と、前記画像取得手段によって取得された複数枚の断層像から臓器領域を抽出する臓器抽出手段と、前記抽出された臓器領域を複数の分割面に分割するための基準となる分割軸を設定する分割軸設定手段と、前記分割軸を通る複数の分割面上に前記抽出された臓器領域の第１の断面像を作成する断面像作成手段と、前記断面像作成手段で作成された第１の断面像を重力の影響を受けた第２の断面像に変形させる断面像変形手段と、前記断面像変形手段によって変形させられた複数の第２の断面像に基づいて所望の表示画像を作成する表示画像作成手段と、前記表示画像作成手段によって作成された表示画像を表示する表示手段と、を備えたことを特徴としている。上記の医療画像装置によれば、重力方向と平行な分割軸を通る複数の分割面において被検体の臓器領域の重力による変形を行い、これを基にして被検体の臓器領域の重力による変形後の画像を表示させる。これにより、変形後の臓器のデータを得ることなく、重力によって変形した臓器の画像を得ることができる。
【手続補正３】
【補正対象書類名】明細書
【補正対象項目名】０００９
【補正方法】変更
【補正の内容】
【０００９】
また、本発明の医療画像装置は、前記断面像変形手段は、重力による曲げ、ズレ、膨らみのうちの少なくとも１つの変形形態で前記第１の断面像を変形させて前記第２の断面像を作成することが望ましい。上記の医療画像装置によれば、被検体の臓器領域の重力による変形は、曲げ、ズレ、膨らみのうちの少なくとも１つの変形形態による。これにより、重力による臓器の変形を適切に表現することができる。なお、前記重力による曲げは、ＣＴ値によって異なる所定の変形係数に基づいて計算された変形角度で前記臓器領域内の線を回転させる変形形態であり、前記重力によるズレは、ＣＴ値によって異なる所定の変形係数に基づいて計算された変位で前記臓器領域内の点を重量方向にずり落ちるように移動させる変形形態であり、前記重力による膨らみは、ＣＴ値によって異なる所定の変形係数に基づいて計算された変位で、かつ前記臓器領域の面積が等しくなるように前記臓器領域を横方向に変形させる変形形態である。
【手続補正４】
【補正対象書類名】明細書
【補正対象項目名】００１０
【補正方法】変更
【補正の内容】
【００１０】
また、本発明の医療画像装置は、前記表示画像生成手段は、前記複数の第２の断面像から作成した複数の平行な断面像を用いて、又は前記複数の第２の断面像を用いて直接３次元画像を作成し、この３次元画像を表示画像とすることが望ましい。上記の医療画像装置によれば、被検体の臓器領域の重力による変形後の画像は３次元画像であり、その３次元画像は、複数の第２の断面像から作成した複数の平行な断面像を用いて作成される、又は複数の第２の断面像を用いて直接作成される。これにより、直接的で容易に立体的な認識が可能な重力によって変形した臓器の画像を得ることができる。
【手続補正５】
【補正対象書類名】明細書
【補正対象項目名】００２５
【補正方法】変更
【補正の内容】
【００２５】
ステップＳ１６では、分割軸Ｌを通る分割面Ｂｎ（ｎ＝１〜Ｎ）を設定する。図３（ａ）においては、分割軸Ｌが臓器Ｃの内部を通るように設定されているため、分割面Ｂｎ（ｎ＝１〜Ｎ）は分割軸Ｌを中心に放射状に設定される。分割面Ｂｎは、分割面Ｂ１から時計回りに順番にＢ１、Ｂ２・・・、Ｂｎと設定され、分割軸Ｌを中心に１周する。
【手続補正書】
【提出日】平成21年7月8日(2009.7.8)
【手続補正１】
【補正対象書類名】特許請求の範囲
【補正対象項目名】全文
【補正方法】変更
【補正の内容】
【特許請求の範囲】
【請求項１】
第１ケース及び第２ケースを有して内部に制御基板が設けられた基板ユニットであって、前記第１ケース側に設けられる第１封止部と、前記第２ケース側に設けられる第２封止部と、その第１封止部と第２封止部とを連結する封止部材とを有し、その封止部材によって前記第１封止部と第２封止部とが連結されている場合に前記制御基板を取り出すときには基板ユニットを破壊するか或いは所定の部位を切断することを必要とする基板ユニットを備え、
前記第１ケースに、その外側面を形成する外壁部と、前記制御基板に接続されるコネクタのための開口を形成する接続用窓部と、前記制御基板の表面から所定距離離れて当該制御基板の表面と略平行方向に設けられる天板部と、該天板部及び前記接続用窓部を繋ぐ窓部壁体と、が設けられた遊技機において、
前記基板ユニットの内側に配置されるものであって、前記接続用窓部の内面側に当接する本体部と、前記第１ケースの窓部壁体の内面に沿って前記本体部から立設される内側壁体とを有する第３部材を備えていることを特徴とする遊技機。
【請求項２】
前記内側壁体が、コの字の開口を前記第１ケースの外周側に向けた正面視でコの字を形成するように構成されていることを特徴とする請求項１に記載の遊技機。
【請求項３】
前記第３部材の本体部の外側面と第１ケースの接続用窓部の窓部壁体の端面が面一に形成され、前記第３部材の長手方向のコの字の対向壁の外側に、前記第１ケースにネジ止めする連結部が夫々設けられ、前記第３部材の本体部の外側面に対して直交する方向のネジ止めによって前記第３部材の本体部が第１ケースの接続用窓部の窓部壁体を圧接密着するように構成されていることを特徴とする請求項１又は２に記載の遊技機。
【手続補正２】
【補正対象書類名】明細書
【補正対象項目名】０００９
【補正方法】変更
【補正の内容】
【０００９】
本発明にかかる遊技機は、上記目的を達成するために、手段１として、
第１ケース及び第２ケースを有して内部に制御基板が設けられた基板ユニットであって、前記第１ケース側に設けられる第１封止部と、前記第２ケース側に設けられる第２封止部と、その第１封止部と第２封止部とを連結する封止部材とを有し、その封止部材によって前記第１封止部と第２封止部とが連結されている場合に前記制御基板を取り出すときには基板ユニットを破壊するか或いは所定の部位を切断することを必要とする基板ユニットを備え、前記第１ケースに、前記制御基板に接続されるコネクタのための接続用窓部と、前記接続用窓部及び前記制御基板の表面から所定距離離れて当該制御基板の表面と略平行方向に設けられる天板部と、前記接続用窓部及び前記天板部を繋ぐ窓部壁体と、が設けられた遊技機において、
前記接続用窓部を密着状態で覆い、少なくとも一つのコネクタ用開口部を有する第３ケースを、前記第１ケースの内側から着脱自在に取り付け得るように構成し、
前記第３ケースのうち、前記接続用窓部を覆う本体部の周辺部の一部に、前記窓部壁体の内側面に沿って設けられる内側壁体を立設させてあることを特徴とする。
【手続補正３】
【補正対象書類名】明細書
【補正対象項目名】００１１
【補正方法】変更
【補正の内容】
【００１１】
本発明にかかる遊技機は、上記目的を達成するために、手段２として、
第１ケース及び第２ケースを有して内部に制御基板が設けられた基板ユニットであって、前記第１ケース側に設けられる第１封止部と、前記第２ケース側に設けられる第２封止部と、その第１封止部と第２封止部とを連結する封止部材とを有し、その封止部材によって前記第１封止部と第２封止部とが連結されている場合に前記制御基板を取り出すときには基板ユニットを破壊するか或いは所定の部位を切断することを必要とする基板ユニットを備え、前記第１ケースに、前記制御基板に接続されるコネクタのための接続用窓部と、前記接続用窓部及び前記制御基板の表面から所定距離離れて当該制御基板の表面と略平行方向に設けられる天板部と、前記接続用窓部及び前記天板部を繋ぐ窓部壁体と、が設けられた遊技機において、
少なくとも一つのコネクタ用開口部を有する第３ケースを、そのコネクタ用開口部より外側を覆うように在る所定部分と、それに対応する第１ケースの所定部分とが、それぞれ略平面形状に形成されて互いに接当する状態で、前記第１ケースの内側から着脱自在に取り付け得るように構成し、
前記第３ケースのうち、前記接続用窓部を覆う本体部の周辺部の一部に、前記窓部壁体の内側面に沿って設けられる内側壁体を立設させてあることを特徴とする。
【手続補正４】
【補正対象書類名】明細書
【補正対象項目名】００７１
【補正方法】変更
【補正の内容】
【００７１】
また、前記接続用窓部７２の開口は、内部の制御基板８０に対するコネクタ９９の接続を行う為のものであるので、第２ケース８５との接合部側に位置された部分に形成されているものであり、第１ケース７０の一側部において壁面から段部７０ａが形成された所に、外側の部分を残して開口を形成しているものである。前記段部７０ａは，この実施例では、第１ケース７０の壁面から２０ｍｍの高さを持つように設定されている。
尚、この実施例においては、前記接続用窓部７２の開口は、約１５ｍｍ×１７７ｍｍのものが一つである。しかし、この開口は、他の形態として、一つでなく、複数に区画されている場合もこの接続用窓部７２に含まれる。
このように、前記第１ケース７０には、前記制御基板８０に接続されるコネクタ９９のための接続用窓部７２と、前記接続用窓部７２及び前記制御基板８０の表面から所定距離離れて当該制御基板８０の表面と略平行方向に設けられる天板部７７と、前記接続用窓部７２及び前記天板部７７を繋ぐ窓部壁体７３と、が設けられている。
【手続補正書】
【提出日】平成21年7月8日(2009.7.8)
【手続補正１】
【補正対象書類名】特許請求の範囲
【補正対象項目名】全文
【補正方法】変更
【補正の内容】
【特許請求の範囲】
【請求項１】
遊技領域が形成された遊技盤と、
該遊技盤の前面側に設けられ前記遊技領域を視認可能とする窓部と、
該窓部及び前記遊技盤の間の流下空間を流下する遊技球が入球可能な始動口と、
該始動口への入球に基づいて遊技状態が特別遊技状態とされた場合に入球可能とされる可変入賞装置とを備えた遊技機において、
前記可変入賞装置は、
前記流化空間を流下する遊技球が入球可能な入口と、
該入口から入球した遊技球を幅方向に複数個収容できる空間が形成される収容部と、
該収容部に収容された遊技球を前記遊技盤の裏側へ向けて排出する排出部と、
前記収容部内に設けられ、駆動手段によって、前記収容部に収容された遊技球を前記排出部に向かって誘導する入球姿勢、及び前記収容部に収容された遊技球が前記排出部から排出されることを規制しつつ前記入口から前記流下空間へ向かって排球する排球姿勢に切り替えられる可動体とを備えていることを特徴とする遊技機。
【請求項２】
前記窓部側から前記可変入賞装置の入口側へ向かって下る傾斜面を有し、該下り傾斜面によって前記流化空間を流下する遊技球を捕集する捕集部が固設されている請求項１に記載の遊技機。
【請求項３】
前記可動体は、
前記入口から入球し前記収容部に収容された遊技球が転動する転動面と、
該転動面における前記入口側の一辺に沿って設けられる軸部とを有し、
該軸部によって回動されることによって、前記転動面が前記収容部の奥側に下り傾斜する入球姿勢、及び前記転動面が前記入口側に下り傾斜する排球姿勢に切り替えられることを特徴とする請求項１又は２に記載の遊技機。
【請求項４】
前記可動体の回動端側を押し上げることにより、前記可動体を前記入球姿勢から前記排球姿勢へ向けて回動させる連動部材を備えていることを特徴とする請求項３に記載の遊技機。
【請求項５】
前記連動部材は、突出状態で前記可動体の裏面側を支持し、当該可動体を排球姿勢に維持することを特徴とする請求項４に記載の遊技機。
【手続補正書】
【提出日】平成21年6月17日(2009.6.17)
【手続補正１】
【補正対象書類名】特許請求の範囲
【補正対象項目名】全文
【補正方法】変更
【補正の内容】
【特許請求の範囲】
【請求項１】
被写体を撮像し、画像データを生成する撮像手段と、
前記画像データに対して画像変換を行う画像変換手段と、
前記画像変換が施された前記画像データに対して前記画像変換の逆変換を行い、前記撮像手段の光学系の特性を示す光学データと逆変換後の前記画像データとに基づいて計測処理を実行する計測手段と、
を備えたことを特徴とする内視鏡装置。
【請求項２】
被写体を撮像し、画像データを生成する撮像手段と、
前記画像データに対して第１の画像変換を行う画像変換手段と、
前記撮像手段の光学系の特性を示す光学データが測定されたときに施されていた第２の画像変換に係る情報と前記第１の画像変換に係る情報とに基づいて、前記第１の画像変換が施された前記画像データが、前記第２の画像変換が施された前記画像データとなるように、前記第１の画像変換が施された前記画像データに対して第３の画像変換を行い、前記光学データと前記第３の画像変換が施された前記画像データに基づいて計測処理を実行する計測手段と、
を備えたことを特徴とする内視鏡装置。
【請求項３】
前記第１の画像変換は、上下反転、左右反転、回転、拡大、縮小の少なくともいずれかであることを特徴とする請求項２に記載の内視鏡装置。
【請求項４】
前記第２の画像変換は無変換であり、前記第３の画像変換は、前記第１の画像変換の逆変換であることを特徴とする請求項２又は請求項３に記載の内視鏡装置。
【請求項５】
表示手段を更に備え、
前記表示手段は、前記第１の画像変換が施された前記画像データを表示し、
前記計測手段は、前記第１の画像変換が施された前記画像データが前記表示手段によって表示されるとき、前記第３の画像変換が施された前記画像データに基づいて計測処理を実行することを特徴とする請求項２〜請求項４の何れか１項に記載の内視鏡装置。
【手続補正２】
【補正対象書類名】明細書
【補正対象項目名】０００９
【補正方法】変更
【補正の内容】
【０００９】
本発明は、上記の課題を解決するためになされたもので、被写体を撮像し、画像データを生成する撮像手段と、前記画像データに対して画像変換を行う画像変換手段と、前記画像変換が施された前記画像データに対して前記画像変換の逆変換を行い、前記撮像手段の光学系の特性を示す光学データと逆変換後の前記画像データとに基づいて計測処理を実行する計測手段と、を備えたことを特徴とする内視鏡装置である。
【手続補正３】
【補正対象書類名】明細書
【補正対象項目名】００１０
【補正方法】変更
【補正の内容】
【００１０】
また、本発明は、被写体を撮像し、画像データを生成する撮像手段と、前記画像データに対して第１の画像変換を行う画像変換手段と、前記撮像手段の光学系の特性を示す光学データが測定されたときに施されていた第２の画像変換に係る情報と前記第１の画像変換に係る情報とに基づいて、前記第１の画像変換が施された前記画像データが、前記第２の画像変換が施された前記画像データとなるように、前記第１の画像変換が施された前記画像データに対して第３の画像変換を行い、前記光学データと前記第３の画像変換が施された前記画像データに基づいて計測処理を実行する計測手段と、を備えたことを特徴とする内視鏡装置である。
【手続補正４】
【補正対象書類名】明細書
【補正対象項目名】００１１
【補正方法】変更
【補正の内容】
【００１１】
また、本発明の内視鏡装置において、前記第１の画像変換は、上下反転、左右反転、回転、拡大、縮小の少なくともいずれかであることを特徴とする。また、本発明の内視鏡装置において、前記第２の画像変換は無変換であり、前記第３の画像変換は、前記第１の画像変換の逆変換であることを特徴とする。また、本発明の内視鏡装置において、表示手段を更に備え、前記表示手段は、前記第１の画像変換が施された前記画像データを表示し、前記計測手段は、前記第１の画像変換が施された前記画像データが前記表示手段によって表示されるとき、前記第３の画像変換が施された前記画像データに基づいて計測処理を実行することを特徴とする。
【手続補正書】
【提出日】平成21年7月24日(2009.7.24)
【手続補正１】
【補正対象書類名】特許請求の範囲
【補正対象項目名】全文
【補正方法】変更
【補正の内容】
【特許請求の範囲】
【請求項１】
被洗浄面に付着した汚れ等を除去する為のチャンネルブラシにおいて、前記チャンネルブラシは帯状体、ブラシ片、及び芯線を有すると共に、前記芯線の少なくとも一部が、元の形状にたいして変形されてあることを特徴とするチャンネルブラシ。
【請求項２】
請求項１記載の構成よりなるチャンネルブラシにおいて、前記芯線の少なくとも一部が弾性変形されてあることを特徴とするチャンネルブラシ。
【請求項３】
請求項１記載の構成よりなるチャンネルブラシにおいて、前記芯線の少なくとも一部が塑性変形されてあることを特徴とするチャンネルブラシ。
【請求項４】
請求項１から３のいずれかに記載の構成よりなるチャンネルブラシにおいて、前記芯線の外周部に凸凹部が形成されてあることを特徴とするチャンネルブラシ。
【請求項５】
請求項１から４のいずれかに記載の構成よりなるチャンネルブラシにおいて、前記芯線の断面に中空部が形成されてあることを特徴とするチャンネルブラシ。
【手続補正２】
【補正対象書類名】明細書
【補正対象項目名】０００８
【補正方法】変更
【補正の内容】
【０００８】
本発明は、上記課題を解決する為に、第１の課題解決手段として、被洗浄面に付着した汚れ等を除去する為のチャンネルブラシにおいて、前記チャンネルブラシは帯状体、ブラシ片、及び芯線を有すると共に、前記芯線の少なくとも一部が、元の形状にたいして変形されてある。その為、変形した芯線は、ブラシ片を押し付ける事ができる。その為、ブラシ片の脱落、抜け、折損を防止できる。
【手続補正３】
【補正対象書類名】明細書
【補正対象項目名】００１３
【補正方法】変更
【補正の内容】
【００１３】
本発明の前記チャンネルブラシは、帯状材、ブラシ片、及び芯線を有すると共に、前記芯線の少なくとも一部が、元の形状にたいして変形されてある。その為、ブラシ片が芯線の外周面に面接触できる。その為、ブラシ片を確実に押し付ける事ができる。その為、ブラシ片の脱落、抜け、折損等を防止できる。
【手続補正４】
【補正対象書類名】明細書
【補正対象項目名】００１８
【補正方法】変更
【補正の内容】
【００１８】
第１の発明は、チャンネルブラシは、帯状材、ブラシ片、及び芯線を有すると共に、前記芯線の少なくとも一部が、元の形状にたいして変形されてある。前記芯線は、チャンネル内壁面に沿うように変形する。その為、帯状体に挟まれたブラシ片は、前記芯線の一部が変形することにより、帯状体と芯線にたいして、面接触して狭着されている。前記の如く、ブラシ片は、変形した芯線とチャンネル内壁面との間に面接触されて狭着されている為、チャンネルブラシに、接着剤等を使用する事無く、ブラシ片の脱落、抜け、折損等が発生しないチャンネルブラシを製作する事ができる。
【手続補正書】
【提出日】平成21年7月7日(2009.7.7)
【手続補正１】
【補正対象書類名】特許請求の範囲
【補正対象項目名】全文
【補正方法】変更
【補正の内容】
【特許請求の範囲】
【請求項１】
被検体に照射するＸ線を発生するＸ線発生手段と、  
前記Ｘ線発生手段と対向配置され前記被検体を透過したＸ線信号を検出しこれを電気信号に変換するＸ線平面検出器と、
前記Ｘ線平面検出器によって暗電流補正データを収集する暗電流補正データ収集手段と、
前記収集された補正データを用いて前記Ｘ線検出手段の出力信号を補正する暗電流補正手段と、
前記暗電流補正手段によって補正された信号を入力して画像処理を施し前記被検体のＸ線透過画像を生成する画像処理手段とを備えたＸ線画像診断装置であって、  
前記暗電流補正データ収集手段は、撮影開始前に前記Ｘ線の放射無しに前記Ｘ線平面検出器の暗電流を第１の所定周期で読み出し制御する暗電流読み出し制御手段と、  
前記制御手段で読み出された暗電流の加算平均値を前記第１の所定周期毎に更新して記憶する記憶手段と、  
前記Ｘ線発生手段からのＸ線曝射開始前に前記Ｘ線平面検出器の出力を読み出す空読み手段とを備えたことを特徴とするＸ線画像診断装置。  
【請求項２】
前記空読み手段は、第２の所定周期で空読みを行う第１の空読み手段と、撮影準備動作検出信号をトリガーとして空読みを行う第2の空読み手段と、前記第２の空読み手段による空読みを前記第１の空読み手段よりも優先して空読みを行う空読み優先処理手段とを備えたことを特徴とする請求項１に記載のＸ線画像診断装置。  
【請求項３】
前記第２の空読み手段の撮影準備動作検出信号は、前記Ｘ線発生手段とＸ線検出手段とから成るＸ線撮影系の位置決め動作信号及び／又は前記被検体の位置決め動作信号であることを特徴とする請求項２に記載のＸ線画像診断装置。  
【請求項４】
前記第２の空読み手段の撮影準備動作信号は、前記被検体を載置する載置台上に設けたマットスイッチの動作信号、又は、前記被検体を載置する載置台上の被検体の赤外線エネルギーを検知する任意の場所に設けた赤外線センサーの動作信号の何れか一方であることを特徴とする請求項３に記載のＸ線画像診断装置。
【手続補正２】
【補正対象書類名】明細書
【補正対象項目名】００１１
【補正方法】変更
【補正の内容】
【００１１】
上記目的を達成するために、本発明に係るX線画像診断装置は、被検体に照射するＸ線を発生するＸ線発生手段と、 前記Ｘ線発生手段と対向配置され前記被検体を透過したＸ線信号を検出しこれを電気信号に変換するＸ線平面検出器と、前記Ｘ線平面検出器によって暗電流補正データを収集する暗電流補正データ収集手段と、前記収集された補正データを用いて前記Ｘ線検出手段の出力信号を補正する暗電流補正手段と、前記暗電流補正手段によって補正された信号を入力して画像処理を施し前記被検体のＸ線透過画像を生成する画像処理手段とを備えたＸ線画像診断装置であって、前記暗電流補正データ収集手段は、撮影開始前に前記Ｘ線の放射無しに前記Ｘ線平面検出器の暗電流を第１の所定周期で読み出し制御する暗電流読み出し制御手段と、前記制御手段で読み出された暗電流の加算平均値を前記第１の所定周期毎に更新して記憶する記憶手段と、前記Ｘ線発生手段からのＸ線曝射開始前に前記Ｘ線平面検出器の出力を読み出す空読み手段とを備えたことを特徴とする。
【手続補正書】
【提出日】平成20年11月19日(2008.11.19)
【手続補正１】
【補正対象書類名】特許請求の範囲
【補正対象項目名】請求項２
【補正方法】変更
【補正の内容】
【請求項２】
請求項１に記載の整流子と、放射状に延びる複数のティースを有する電機子コアと、各前記ティースに巻回され、その一端部が径方向外側から引き出されるとともにその他端部が径方向内側から引き出された複数の前記電機子コイルと、を備え、前記電機子コイルの径方向外側の一端部が前記外周側接続部に接続されるとともに、前記電機子コイルの径方向内側の他端部が前記内周側接続部に接続されたことを特徴とする電機子。
【手続補正２】
【補正対象書類名】明細書
【補正対象項目名】００１１
【補正方法】変更
【補正の内容】
【００１１】
請求項２に記載の発明は、請求項１に記載の整流子と、放射状に延びる複数のティースを有する電機子コアと、各前記ティースに巻回され、その一端部が径方向外側から引き出されるとともにその他端部が径方向内側から引き出された複数の前記電機子コイルと、を備え、前記電機子コイルの径方向外側の一端部が前記外周側接続部に接続されるとともに、前記電機子コイルの径方向内側の他端部が前記内周側接続部に接続されたことを特徴とする電機子とした。
【手続補正書】
【提出日】平成21年2月3日(2009.2.3)
【手続補正１】
【補正対象書類名】明細書
【補正対象項目名】００１３
【補正方法】変更
【補正の内容】
【００１３】
図２（図１のII−II矢視図）は、第１の遮断器３の部分の側面図である。図２〜図６に示すように、両主母線１，２は並行して配置されているが、高さ方向は第２の主母線２の方が第１の主母線１より高く配置されている。第１の主母線１には断路器１１が接続されており、この断路器１１に、主母線１の長手方向と直交する方向で水平方向に伸びる短母線１５が接続され、この短母線１５の軸線上に変流器１３を直結した第１の遮断器３が配置されている。第１の遮断器３の他端側には、変流器１４が垂直上方に向けて取り付けられ、更にその上方に断路器１２が設置されている。
【手続補正２】
【補正対象書類名】図面
【補正対象項目名】図１
【補正方法】変更
【補正の内容】
【図１】
2008029079.tif 000001
【手続補正３】
【補正対象書類名】図面
【補正対象項目名】図２
【補正方法】変更
【補正の内容】
【図２】
2008029079.tif 000002
【手続補正４】
【補正対象書類名】図面
【補正対象項目名】図３
【補正方法】変更
【補正の内容】
【図３】
2008029079.tif 000003
【手続補正５】
【補正対象書類名】図面
【補正対象項目名】図４
【補正方法】変更
【補正の内容】
【図４】
2008029079.tif 000004
【手続補正６】
【補正対象書類名】図面
【補正対象項目名】図５
【補正方法】変更
【補正の内容】
【図５】
2008029079.tif 000005